(57)【特許請求の範囲】
【請求項１】
押引き運動によって排水栓を開状態と閉状態とに切り換える線状体にピニオン・ラック機構のラックが連結されてそのラックの往復運動によって上記線状体が押引き運動されるようになっていると共に、上記排水栓の位置を検出する栓位置検出手段を備えた排水栓開閉装置において、
電動モータを駆動源とする上記ピニオン・ラック機構のピニオンの正逆回転を通じて上記ラックが往復運動を行うようになっていると共に、上記栓位置検出手段が磁石とこの磁石の相手方である磁石位置検出センサーとの組み合わせでなり、
上記電動モータと上記磁石位置検出センサーとが、ケース本体とそのケース本体の外周の環状領域に重ね合わせて一体化されたカバーとに分割されてなる中空ケースに収容され、かつ、その中空ケースのケース本体とカバーとの環状の合わせ箇所が環状の第１シール材によって水密にシールされ、
上記ピニオンと一体の回転軸が上記中空ケースの外壁に開設された挿通孔に挿通されて当該ピニオンが中空ケースの外部に突出されていると共に、上記回転軸と上記挿通孔の孔壁面との隙間が環状の第２シール材で水密に塞がれ、
上記ラックが、上記中空ケースと一体にその外側に具備されたラックホルダーに往復運動可能に保持された状態で上記ピニオンに噛み合わされていて、そのラックに上記磁石が具備されていることを特徴とする排水栓開閉装置。
【請求項２】
上記中空ケースに、上記線状体を押引き運動可能に収容しかつ当該中空ケースの一部を収容する筐体を取り付けるためのフランジが上記合わせ箇所を横切る形態で具備されていて、そのフランジが上記ケース本体側の第１部位と上記カバー側の第２部位とに分割されていると共に、それらの第１部位と第２部位との重なり箇所に上記第１シール材からその外側へ延出された突片でなるシール片が介在されてその重なり箇所が水密にシールされ、このシール片が、上記合わせ個所を伝って上記筐体の内部から外部へ移動する水の移動路を横切っている請求項１に記載した排水栓開閉装置。
【請求項３】
上記ピニオンの上記回転軸が上記電動モータの回転軸に固着されたウォームに、歯車列でなる減速機構を介して連結されていると共に、電動モータの上記回転軸と上記ウォームと上記歯車列とが上記中空ケースに収容されている請求項１又は請求項２に記載した排水栓開閉装置。
【請求項４】
上記中空ケースの外壁に、上記電動モータの信号ケーブルが挿通して導出される筒状部が具備され、この筒状部に上記信号ケーブルを覆う水密材でなるチューブの端部が外嵌合されていると共に、そのチューブの上記筒状部に対する嵌合箇所が接着剤層を介して収縮した熱収縮チューブにより締め付けられて上記嵌合箇所が水密にシールされている請求項１ないし請求項３のいずれか１項に記載した排水栓開閉装置。
【請求項５】
上記ケース本体と上記カバーとに、上記電動モータの円筒状の胴体を挟圧してその電動モータを固定するリブ状の押圧部が備わっている請求項１ないし請求項４のいずれか１項に記載した排水栓開閉装置。
【請求項６】
上記ラックホルダーが上記ラックを嵌合摺動自在に保持してその往復運動を許容する筒状部によって形成されていると共に、そのラックホルダーの軸線を挟む一方側壁部に上記ピニオンと上記ラックとの噛合箇所が配備される開口が備わり、かつ、他方側壁部が当該ラックホルダーの全長部分を欠除させることにより形成された開口を有し、その開口を通してラックホルダーの内部に挿入される上記線状体との係止部が、上記ラックの上記開口との対向箇所に備わっている請求項１ないし請求項５のいずれか１項に記載した排水栓開閉装置。
【発明の詳細な説明】
【０００１】
【発明の属する技術分野】
本発明は、排水栓開閉装置、特に、浴槽や洗面器の槽体などの水回り箇所に取り付けられる排水栓を電動モータを駆動源として開閉することに用いられる排水栓開閉装置に関する。
【０００２】
【従来の技術】
従来例として掲げた特許文献１には、レリースワイヤを手動で押引き運動させることにより排水栓を開状態と閉状態とに切り換えるようにした排水装置についての記載がある。この排水装置は、浴槽の槽体の底部に設置した排水口の栓蓋に連結したレリースワイヤを手動操作が可能な箇所に設置した操作部にも連結し、その操作部を手動操作することによって上記栓蓋が上下動して排水口を開閉するようになっている。
【０００３】
また、他の従来例として掲げた特許文献２には、操作パネルによる遠隔操作によって排水栓機構の栓蓋を開閉するようにした排水装置についての記載がある。この排水装置では、ピニオン・ラック機構のピニオンを電動モータの回転軸に固着し、押引き運動を行って栓蓋を開閉するレリースワイヤをラックに連結し、そのラックを上記ピニオンに噛み合わせてある。そして、電動モータを駆動源とする上記ピニオンの回転をラックの往復運動に変換させてレリースワイヤを押引き運動させるようになっている。また、栓蓋の開状態又は閉状態を検出する手段（栓位置検出手段）として磁石とその磁石に反応する部材を用いること、電動モータを防湿ケースに取り付け、その防湿ケースをレリースワイヤを収容している操作ケースに取り付けること、上記磁石とその磁石に反応する部材とを防湿ケースとを別の箇所に別途設置すること、などが記載されている。
【０００４】
【特許文献１】
特開平１１−９９０７７号公報
【特許文献２】
特開平２００２−５４２０６号公報
【０００５】
【発明が解決しようとする課題】
上掲の２つの従来例のように、排水栓の開閉をレリースワイヤを用いて行うこと、そのレリースワイヤの押引き運動を電動モータを駆動源として遠隔操作で行わせることなどは公知である。
【０００６】
しかしながら、特許文献２に見られるように、排水栓を遠隔操作で開閉させる場合に、駆動源としての電動モータを取り付け防湿ケースと、栓位置検出手段である磁石やその磁石に反応する部材とを別々の箇所に取り付けるという構成を採用すると、レリースワイヤを用いた既存の手動操作式の排水装置を遠隔制御方式に変更する場合に、防湿ケースと栓位置検出手段とを別々の工程で取り付けることが必要になるために作業工程が複雑になるという問題があった。
【０００７】
本発明は以上の問題に鑑みてなされたものであり、レリースワイヤの押引き運動によって排水栓が開閉されるようになっている排水装置を、たとえば遠隔制御方式の排水装置に変更するような場合でも、駆動源としてのモータや栓位置検出手段の取付作業性に優れる排水栓開閉装置を提供することを目的とする。
【０００８】
また、本発明は、リレースワイヤのような押引き運動される線状体を収容している筐体が排水栓の水通路に連通されている場合において、排水栓の水通路から水がその筐体の内部に逆流したとしても、その筐体に取り付けた当該排水栓開閉装置の内部に水が浸入してその動作性能を低下させたりするという事態の起こらない排水栓開閉装置を提供することを目的とする。
【０００９】
さらに、本発明は、組立が簡単でコンパクトな形であるにもかかわらず、上記筐体の内部に逆流した水が当該排水栓装置の外面を伝って移動した後に滴下するという事態の起こらない排水栓開閉装置を提供することを目的とする。
【００１０】
【課題を解決するための手段】
本発明に係る排水栓開閉装置は、押引き運動によって排水栓を開状態と閉状態とに切り換える線状体にピニオン・ラック機構のラックが連結されてそのラックの往復運動によって上記線状体が押引き運動されるようになっていると共に、上記排水栓の位置を検出する栓位置検出手段を備えている。
【００１１】
そして、電動モータを駆動源とする上記ピニオン・ラック機構のピニオンの正逆回転を通じて上記ラックが往復運動を行うようになっていると共に、上記栓位置検出手段が磁石とこの磁石の相手方である磁石位置検出センサーとの組み合わせでなる。また、上記電動モータと上記磁石位置検出センサーとが、ケース本体とそのケース本体の外周の環状領域に重ね合わせて一体化されたカバーとに分割されてなる中空ケースに収容され、かつ、その中空ケースのケース本体とカバーとの環状の合わせ箇所が環状の第１シール材によって水密にシールされ、上記ピニオンと一体の回転軸が上記中空ケースの外壁に開設された挿通孔に挿通されて当該ピニオンが中空ケースの外部に突出されていると共に、上記回転軸と上記挿通孔の孔壁面との隙間が環状の第２シール材で水密に塞がれ、上記ラックが、上記中空ケースと一体にその外側に具備されたラックホルダーに往復運動可能に保持された状態で上記ピニオンに噛み合わされていて、そのラックに上記磁石が具備されている。
【００１２】
この発明によれば、栓位置検出手段の磁石がラックに備わっていて、そのラックが中空ケースと一体のホルダーに保持され、また、その磁石の相手方である磁石位置検出センサーが電動モータと共に中空ケースに収容されていると共に、その中空ケースが、ケース本体とそのケース本体の外周の環状領域に重ね合わせて一体化されたカバーとに分割されているので、電動モータとラックと栓位置検出手段とが１つの中空ケースに組み付けられるようになる。そのため、排水栓開閉装置を１つのコンパクトな形として提供することが可能になり、併せて、当該排水栓開閉装置自体の組立性も向上する。
【００１３】
また、中空ケースは、その内部が第１シール材と第２シール材とによって水密に密閉されるので、中空ケースに収容されている電動モータや栓位置検出手段の磁石位置検出センサーの性能が浸入水によって低下させられるという事態が起こらない。
【００１４】
本発明では、上記中空ケースに、上記線状体を押引き運動可能に収容しかつ当該中空ケースの一部を収容する筐体を取り付けるためのフランジが上記合わせ箇所を横切る形態で具備されていて、そのフランジが上記ケース本体側の第１部位と上記カバー側の第２部位とに分割されていると共に、それらの第１部位と第２部位との重なり箇所に上記第１シール材からその外側へ延出された突片でなるシール片が介在されてその重なり箇所が水密にシールされ、このシール片が、上記合わせ個所を伝って上記筐体の内部から外部へ移動する水の移動路を横切っていることが望ましい。
【００１５】
これによれば、筐体に中空ケースのフランジを取り付けた場合に、筐体の内部に逆流した水が中空ケースの合わせ個所を伝って筐体の内部から外部へ移動するという事態がシール片によって阻止される。そのため、中空ケースの合わせ個所を伝って筐体の内部から外部へ移動した水が筐体の外部で中空ケースから落下するという事態が起こらない。
【００１６】
本発明では、上記ピニオンの上記回転軸が上記電動モータの回転軸に固着されたウォームに、歯車列でなる減速機構を介して連結されていると共に、電動モータの上記回転軸と上記ウォームと上記歯車列とが上記中空ケースに収容されていることが望ましい。これによれば、電動モータや磁石位置検出センサーと共に、減速機構も中空ケースに収容されるので、排水栓開閉装置を１つのコンパクトな形として提供することが可能になる。
【００１７】
本発明では、上記中空ケースの外壁に、上記電動モータの信号ケーブルが挿通して導出される筒状部が具備され、この筒状部に上記信号ケーブルを覆う水密材でなるチューブの端部が外嵌合されていると共に、そのチューブの上記筒状部に対する嵌合箇所が接着剤層を介して収縮した熱収縮チューブにより締め付けられて上記嵌合箇所が水密にシールされていることが望ましい。これによれば、中空ケースにおける信号ケーブルの導入個所も水密にシールされる。
【００１８】
本発明では、上記ケース本体と上記カバーとに、上記電動モータの円筒状の胴体を挟圧してその電動モータを固定するリブ状の押圧部が備わっていることが望ましい。これによれば、中空ケースに別部品を組み付けずに電動モータの振動を抑えることができるので、部品点数を少なく抑えて振動や異音の発生しにい排水栓開閉装置を提供することが可能になる。
【００１９】
本発明によれば、上記ラックホルダーが上記ラックを嵌合摺動自在に保持してその往復運動を許容する筒状部によって形成されていると共に、そのラックホルダーの軸線を挟む一方側壁部に上記ピニオンと上記ラックとの噛合箇所が配備される開口が備わり、かつ、他方側壁部が当該ラックホルダーの全長部分を欠除させることにより形成された開口を有し、その開口を通してラックホルダーの内部に挿入される上記線状体との係止部が、上記ラックの上記開口との対向箇所に備わっていることが望ましい。これによれば、線状体をラックの係止部に連結する作業を、ラックホルダーの開口を活用して容易かつ迅速に行うことができるようになる。
【００２０】
【発明の実施の形態】
図１は本発明の実施形態に係る排水栓開閉装置の正面図、図２は図１のＩＩ矢視図、図３は図１のＩＩＩ矢視図である。
【００２１】
図１〜図３において、１は樹脂成形体でなる矩形で偏平な中空ケースで、ケース本体２とカバー３とに分割されていて、カバー３の４つのコーナ部に設けられたブラケット３１の挿通孔３２（図６又は図１６参照）に挿通した締付けビス１２を、ケース本体２の４つのコーナ部に設けられたブラケット２１のねじ孔２２にねじ込んで締め付けることによって、それらのケース本体２とカバー３とが結合されて一体化されている。
【００２２】
図４はケース本体２の裏面図、図５は後述する電動モータ６などが組み付けられたケース本体２の裏面図、図６はカバー３の裏面図、図７は電動モータ６の取付構造を示した断面図、図８は図５のＶＩＩＩ−ＶＩＩＩ線に沿う部分の断面図である。また、図１４はケース本体２の要部の拡大斜視図、図１５は第１シール材４１の要部の拡大斜視図である。
【００２３】
図４のように、ケース本体２の外周の略矩形の環状領域に、無端状に溝部２３が備わり、その溝部２３に図５のように矩形環状のゴムでなる第１シール材４１が嵌め込まれている。また、カバー３の外周には略矩形にシール座面３３が形成されている。そして、上記のようにケース本体２とカバー３とが結合されて一体化された状態では、第１シール材４１がケース本体２側の溝部２３の溝底面とカバー３側のシール座面３３とにより弾圧されてケース本体２とカバー３とによって形成される環状の合わせ個所１２（図２又は図３参照）が第１シール材４１により塞がれて水密にシールされている。
【００２４】
図１〜図３のように、中空ケース１には、環状の上記合わせ個所１２を直角に横切る形態で環状のフランジ５が備わっている。このフランジ５は、ケース本体２に一体に具備されたコ字形の第１部位５１と、カバー３に一体に具備されたコ字形の第２部位５６とに分割されている。また、図４又は図５のように、第１部位５１の２つの端部が厚肉に形成されており、その厚肉部５２の裏面がケース本体２の外周裏面と面一になっている。また、図６のように、第２部位５６の２つの端部のそれぞれも厚肉に形成されており、その厚肉部５７の裏面であるシール座面５８がカバー本体３の外周裏面と面一になっている。加えて、図４又は図１４のように、第１部位５１の厚肉部５２には、上記溝部２３から直角に延び出た短い凹所２４が備わっていて、この凹所２４に、図５又は図１５に示したように、第１シール材４１からその外側へ延出された突片でなるシール片４２が嵌め込まれている。そして、上記のようにケース本体２とカバー３とが結合されて一体化された状態では、シール片４２が第１部位５１側の厚肉部５２の凹所２３の底面とカバー３側の厚肉部５７のシール座面５８とにより弾圧されて、フランジ５の第１部位５１と第２部位５６との重なり個所５０（図３参照）が塞がれて水密にシールされている。さらに、この重なり個所５０では、第２部位５６側の厚肉部５７の挿通孔５９（図６参照）に挿通した締付けビス５３を、第１部位５１側の厚肉部５２のねじ孔５４にねじ込んで締め付けてある。そのため、フランジ５が金属に比べて柔軟な樹脂成形体であるとしても、締付けビス５３による締付け力が重なり個所５０に効率よく伝わってシール片４２による重なり個所５０の水密性が良好に保たれる。
【００２５】
図４のように、ケース本体２には電動モータ６の円筒状の胴体６１の設置個所を区画するリブ２５が備わり、そのリブ２５によって形成された区画に上記胴体６１が収容されていると共に、その胴体６１の前端面から突出された回転軸６２の軸受６３が、上記リブ２５に具備された凹所２６に図７のように嵌入状に係止されている。また、図７のように、ケース本体２とカバー３とにリブ状の押圧部２７，３４がそれぞれ設けられていて、これらの押圧部２７，３４によって上記胴体６１が挟圧されている。この構成により、電動モータ６が中空ケース１に動かないように収容され、かつ、電動モータ６の振動や振動に伴う異音の発生が押圧部２７，３４による胴体６１の挟圧構造によって抑制される。
【００２６】
図４のように、ケース本体２の外壁には、電動モータ設置個所の側部に円形の挿通孔２８が備わっている。この挿通孔２８は円形環状の段付面２９を有し、その段付面２９に図８に示したゴム製Ｏリングでなる第２シール材４５が配備されている。そして、図８のように、挿通孔２８には後述するピニオン・ラック機構７のピニオン７１の回転軸７２が挿通されていて、その回転軸７２と挿通孔２８の孔壁面との隙間が上記第２シール材４５によって水密に塞がれている。
【００２７】
次に、図５のように、上記電動モータ６の回転軸６２には、金属製のウォーム８が圧入により固着されている。そして、上記ピニオン７１の回転軸７２が、ウォーム８に、歯車列でなる減速機構８１を介して連結されている。この減速機構８１は、ウォーム８に噛み合ったウォームホイル８２と、このウォームホイル８２と同心一体の径小歯車８３に噛み合った中間径大歯車８４と、この中間径大歯車８４と同心一体の径小歯車８５に噛み合った最終径大歯車８６とを有する歯車列でなり、最終径大歯車８６が、上記したピニオン７１の回転軸７２と一体に成形されている。図例の減速機構８１において、ウォームホイル８２と径小歯車８３とは、図４及び図６に示したケース本体２とカバー３とに設けられた一対のボス８７ａ，８７ｂによって両端が支えられた金属製の支軸（不図示）によって回転自在に支えられ、中間径大歯車８４と径小歯車８５とは、図４及び図６に示したケース本体２とカバー３とに設けられた他の一対のボス８８ａ，８８ｂによって両端が支えられた金属製の支軸（不図示）によって回転自在に支えられている。これに対し、最終径大歯車８６には図８に示したように同心一体に突出部８９が備わっていて、同図のように、その最終径大歯車８６と突出部８９とが、上記挿通孔２８を形成しているボス部１０１とカバー３に設けられて上記突出部８９に嵌合したボス部３５とによって回転自在に挟持されている。
【００２８】
次に、図１〜図３又は図８のように、ケース本体２と一体にその外側にラックホルダー２００が具備されている。このラックホルダー２００は、ラック７５の矢印Ｙ方向の直線往復運動を許容する筒状部によって形成されていて、そのラックホルダー２００の軸線を挟む一方側壁部２１０に上記ピニオン７１が臨んだ開口２１１が備わっている。また、他方側壁部２２０には、当該ラックホルダー２００の全長部分を欠除させることにより形成された開口２２１が備わっている。そして、図１又は図３のように、ラックホルダー２００に往復運動可能に保持されたラック７５と上記ピニオン７１との噛合箇所ａが上記開口２１１に配備されている。
【００２９】
図９はラック７５の平面図、図１０は図９のＸ−Ｘ線断面図、図１１は図１０のＸＩ−ＸＩ線断面図、図１２は栓位置検出手段３００の配置状態を示した説明図である。
【００３０】
図１２のように栓位置検出手段３００は、磁石３１０とこの磁石３１０の相手方であるホール素子でなる磁石位置検出センサー３２０との組み合わせでなり、磁石位置検出センサー３２０が、磁石３１０が接近した場合と離反した場合とを検出する機能を発揮する。そして、図９〜図１１のように、磁石３１０がラック７５の片面側の凹所７６に挿入されて接着剤７７により固定されているのに対し、磁石位置検出センサー３２０は、ケース本体２の内側にビス止めされた配線基板３２１に搭載されている。したがって、ラック７５がラックホルダー２００に保持されて往復運動を行うと、磁石３１０が磁石位置検出センサー３２０に接近する位置と離反する位置との間で変位する。
【００３１】
図１３は中空ケース１の内部への信号ケーブルの引出し箇所を示した一部破断側面図である。
【００３２】
この引出し箇所では、ケース本体２の外壁（すなわち中空ケースの外壁）に具備された筒状部１５に、電動モータ６の複数本の信号ケーブル６５が挿通されている。また、その信号ケーブル６５を覆うゴムなどの水密材でなるチューブ６６の端部が筒状部１５に圧入状態で外嵌合されている。そして、そのチューブ６６の筒状部１５に対する嵌合箇所が接着剤層を介して収縮した熱収縮チューブ６７によって締め付けられている。したがって、チューブ６６の筒状部１５に対する嵌合箇所が、筒状部１５とチューブ６６の密着によって水密にシールされている。
【００３３】
図１６は上記構成を備えた排水栓開閉装置を、レリースワイヤ（不図示）を収容する筐体４００に取り付けた状態を例示した部分断面図、図１７は排水栓５００の概略斜視図である。
【００３４】
図１７に示した排水栓５００はレリースワイヤでなる線状体５１０の押引き運動によってその栓蓋５２０が上下動して当該排水栓５００が開状態と閉状態とに切り換わる。また、図１６に示した筐体４００は、上記線状体５１０を押引き運動可能に収容する部材であり、この筐体４００の内部空間は、排水栓５００の排水路に連通されている。したがって、筐体４００の内部に排水栓５００から水が逆流するという事態が起こり得る。
【００３５】
図１６のように、排水栓開閉装置の中空ケース１は、その一部が筐体４００の開口４１０を通してその内部に挿入されている。そして、中空ケース１のフランジ５が筐体４００側のフランジ４２０に重ね合わされ、その重なり箇所の複数箇所が図示していない取付ビスを介して連結される。
【００３６】
この取付構造によると、筐体４００の内部に排水栓５００から水が逆流したとしても、中空ケース１は、ケース本体２とカバー３との合わせ箇所１２（図２又は図３参照）が第１シール材４１によって水密にシールされ、かつ、ピニオン７１の回転軸７２と挿通孔２８の孔壁面との隙間が第２シール材４５によって水密に塞がれているので、中空ケース１の内部に水が浸入して電動モータ６や栓位置検出手段３００の磁石位置検出センサー３２０などの性能が浸入水によって低下させられるという事態が起こらない。また、筐体４００の内部に逆流した水が中空ケース１の合わせ個所１２を伝って筐体４００の内部から外部へ移動するという事態が、その水の移動路である上記合わせ箇所１２を横切っているシール片４２によって阻止される。そのため、中空ケース１の合わせ個所１２を伝って筐体４００の内部から外部へ移動した水が筐体４００の外部で中空ケース１から落下するという事態も起こらない。
【００３７】
電動モータ６が正逆回転すると、その回転が減速機構８１を介してピニオン７１に伝わり、そのピニオン７１の回転がラック７５の往復運動に変換される。したがって、このラック７５に上記線状体５１０を連結しておけば、ラック５１０の往復運動によって線状体５１０が押引き運動されて排水栓５００が開閉される。電動モータ６は操作パネル（不図示）を利用して遠隔制御することが可能である。また、ラック５１０が往復運動を行うと、そのラック５１９に設けられている磁石３１０が磁石位置検出センサー３２０に対して接近位置と離反位置との間で移動するので、磁石位置検出センサー３２０によって排水栓５００の位置（すなわち開位置か、閉位置か）が検出される。
【００３８】
この実施形態では、図１６に拡大した示したように、上記シール片４２の外側面と厚肉部５２の側面とに亘って接着剤４３を塗布し、その接着剤４３によってシール片４２を厚肉部５２に固定してある。こうしておくと、シール片４２が凹所２４からはみ出してシール不良を起こすという事態が起こらない。
【００３９】
また、この実施形態では、図３で判るように、ラックホルダー２００の開口２２１を通してラックホルダーの内部に線状体５１０（図１７参照）の端部を横から挿入し、その端部をラック７５の開口２２１との対向箇所に具備させた係止部７８に係合させることができるようにしてある。そのため、線状体５１０をラック７５に連結する作業を容易に行うことができる。
【００４０】
以上のように、この実施形態の排水栓開閉装置は、電動モータ６、減速機構８１、磁石位置検出センサー３２０を搭載した配線基板３２１、といった遠隔制御に必要な部品を水密にシールされた中空ケース１の内部に収容してあるので、その中空ケース１を筐体４００に取り付けるだけで、たとえば既存の手動操作式の排水装置を遠隔制御方式に変更することが可能になる。また、筐体４００に中空ケース１を取り付けた場合に、筐体４００の内部に逆流した水が中空ケース１の内部に浸入したり、その中空ケース１の合わせ箇所１２を伝って筐体４００の内部から外部に移動して落下するという事態も起こらない。
【００４１】
【発明の効果】
本発明に係る排水栓開閉装置は、レリースワイヤの押引き運動によって排水栓が開閉されるようになっている排水装置を、たとえば遠隔制御方式の排水装置に簡単な作業で容易に変更することが可能であり、しかも、線状体を収容している筐体が排水栓の水通路に連通されている場合であっても、筐体の内部に逆流した水が当該排水栓開閉装置の内部に浸入してその動作性能を低下させたりするという事態が起こらない。さらに、組立が簡単でコンパクトな形であるにもかかわらず、上記筐体の内部に逆流した水が当該排水栓装置の外面を伝って移動した後に滴下するという事態の起こらない排水栓開閉装置を提供することが可能になる。
【図面の簡単な説明】
【図１】本発明の実施形態に係る排水栓開閉装置の正面図である。
【図２】図１のＩＩ矢視図である。
【図３】図１のＩＩＩ矢視図である。
【図４】電動モータが組み付けられたケース本体の裏面図である。
【図５】電動モータや減速機構などが組み付けられたケース本体の裏面図である。
【図６】カバーの裏面図である。
【図７】電動モータの取付構造を示した断面図である。
【図８】図５のＶＩＩＩ−ＶＩＩＩ線に沿う部分の断面図である。
【図９】ラックの平面図である。
【図１０】図９のＸ−Ｘ線断面図である。
【図１１】図１０のＸＩ−ＸＩ線断面図である。
【図１２】栓位置検出手段の配置状態を示した説明図である。
【図１３】中空ケースの内部への信号ケーブルの引出し箇所を示した一部破断側面図である。
【図１４】ケース本体の要部の拡大斜視図である。
【図１５】第１シール材の要部の拡大斜視図である。
【図１６】排水栓開閉装置を筐体に取り付けた状態を例示した部分断面図である。
【図１７】排水栓の概略斜視図である。
【符号の説明】
１  中空ケース
２  ケース本体
３  カバー
５  フランジ
７  ピニオン・ラック機構
８  ウォーム
１２  合わせ箇所
１５  筒状部
２７，３４  押圧部
２８  挿通孔
４１  第１シール材
４２  シール片
４５  第２シール材
５０  重なり箇所
５１  第１部位
５６  第２部位
６１  電動モータの胴体
６２  電動モータの回転軸
６５  信号ケーブル
６６  チューブ
６７  熱収縮チューブ
７１  ピニオン
７２  回転軸
７５  ラック
７８  係止部
８１  減速機構
２００  ラックホルダー
２１１  開口
２２１  開口
３００  栓位置検出手段
３１０  磁石
３２０  磁石位置検出センサー
４００  筐体
５００  排水栓
５１０  線状体
ａ  ピニオンとラックとの噛合箇所
【図１】
0003686901.tif 000002
【図２】
0003686901.tif 000003
【図３】
0003686901.tif 000004
【図４】
0003686901.tif 000005
【図５】
0003686901.tif 000006
【図６】
0003686901.tif 000007
【図７】
0003686901.tif 000008
【図８】
0003686901.tif 000009
【図９】
0003686901.tif 000010
【図１０】
0003686901.tif 000011
【図１１】
0003686901.tif 000012
【図１２】
0003686901.tif 000013
【図１３】
0003686901.tif 000014
【図１４】
0003686901.tif 000015
【図１５】
0003686901.tif 000016
【図１６】
0003686901.tif 000017
【図１７】
0003686901.tif 000018